(57)【要約】      （修正有）【課題】使用前に製品を容器の内容物と混合することを可能にする、容器のクロージャー蓋を提供する。【解決手段】容器１の内容物と混合されることになる製品を収容するカプセル２を含み、カプセルが誤って開いてしまうのを防ぐ、破壊可能なセキュリティーリング４により構成する。セキュリティリング４はハンドル４ａおよび強度低下溝を含み、ハンドル４ａが動かされると破壊される。容器及び対応するクロージャー蓋によって、容器の内容物とカプセルの製品とが混合されるのは、使用者が欲するときに、単にリングを取り除いた後にカプセルを破ることによって、実現される。【選択図】図１
0003159532.tif 000002
【実用新案登録請求の範囲】
【請求項１】
容器(1)の内容物と混合される製品を収容するカプセル(2)を含む、該容器のためのクロージャー蓋であって、該カプセルが誤って開くのを防止するための破壊できるセキュリティーリング(4)を含むことを特徴とする、クロージャー蓋。
【請求項２】
セキュリティーリング(4)はハンドル(4a)および強度を低下させるための溝(4b)を含み、ハンドル(4a)が動かされるとセキュリティーリング(4a)が破壊されるものである、請求項１に記載のクロージャー蓋。
【請求項３】
セキュリティーリング(4)の素材が、高密度または低密度のポリエチレン５０％のものである、請求項１または２に記載のクロージャー蓋。
【請求項４】
カプセル(2)が上片部(2a)および下片部(2b)を含み、下片部(2b)は容器(1)に固定され、上片部(2a)は下片部(2b)に対して可動式である、請求項１に記載の容器のためのクロージャー蓋。
【請求項５】
カプセル(2)の上片部(2a)および下片部(2b)は、その下部において切頭円錐形であり、上片部(2a)の移動が下片部(2b)の切頭円錐部の膨張をもたらし、カプセル(2)の内容物の放出を可能にする、請求項４に記載のクロージャー蓋。
【請求項６】
カプセル(2)の上片部(2a)が、ねじ込み式の本体(6)と一体式で、下片部(2b)が容器(1)に固定され、ねじ込み式の本体(6)が容器(1)にねじ込まれると、セキュリティーリング(4)が取り外された状態で、カプセル(2)の上片部(2a)の移動が起きる、請求項４に記載のクロージャー蓋。
【請求項７】
カプセル(2)をシーリングした状態で貫通する排管(9)を含む、請求項１に記載のクロージャー蓋。
【考案の詳細な説明】
【技術分野】
【０００１】
本願発明は、使用前に製品を容器の内容物と混合することを可能にする、容器のクロージャー蓋に関する。
【背景技術】
【０００２】
特定の活用では、２つの製品を、それらが利用される前に、容器の中で自動的に混合する必要がある。
このために、容器が最初に使用される前に望ましい混合物が得られるような、容器内の製品と混合する製品を収容するカプセルを含む、容器のための様々なクロージャー蓋がある。
EP-A-1 012 068に開示された、この種類の容器は、内容物の放出のために壁が壊れる、可動式のカプセルを含む
【考案の概要】
【考案が解決しようとする課題】
【０００３】
この文献に開示された容器は、一度蓋が締められるか、またはカプセル上のスプレーヘッドが誤って壊されることで、利用者が容器を使用するつもりが無くても、結果として２つの製品が混ざってしまうという欠点がある。
【課題を解決するための手段】
【０００４】
上記の欠点が、本願発明の容器のクロージャー蓋により解消され、さらにその他の利点は以下に示される。
本願発明の容器のクロージャー蓋は、容器の内容物に対して溶解性の製品を収容でき開けることができるカプセルを含み、それは、前記カプセルが誤って壊れ開口するのを防止するためのセキュリティーリングを含む
【考案の効果】
【０００５】
この特徴により、利用者が望む時にだけ、単にこのリングを取り外し、それによりその後カプセルが壊され、カプセル内の製品と容器内の内容物が混合される、対応するクロージャー蓋を具備する容器が提供される。
【図面の簡単な説明】
【０００６】
上記に述べられた内容をさらなる理解のために、それには限定されないが下記に示される図表および実施態様を含むいくつかの図面が添付される。
【図１】図１は、本願発明の容器のクロージャー蓋の断面立面図である。
【考案を実施するための形態】
【０００７】
セキュリティーリングは有利にハンドルおよび強度を低下させるための溝を含み、よってハンドルを圧すことでセキュリティーリングへの裂け目を作り出し、セキュリティーリングの取り外しを容易にする。
好適実施例としては、セキュリティーリングの素材は、高密度および低密度のポリエチレン５０％のものであるが、適切などのような素材でもよい。
カプセルは、有利に上片部および下片部から成り、下片部は容器に支えられ、上片部は下片部に沿って可動式である。
好ましい態様としては、カプセル２の上片部２aおよび下片部２bは、それらの下部において切頭円錐形であり、よって上片部の移動が、下片部の切頭円錐部分の膨張をもたらし、カプセルの内容物の放出を可能にする。
【０００８】
さらに、カプセルの上片部は有利にねじ込み式の本体と一体式であり、下片部は容器にスナップ式に取り付けられるので、セキュリティーリングを取り除いて、ねじ込み式の本体を容器にねじ込むと、カプセルの下片部が移動する。
本願発明の容器のクロージャー蓋はまた、有利にカプセルをシーリングして貫通する排管を含む。
本願発明のクロージャー蓋のさらなる利点は、完全な密閉が確保できることであり、利用者は使用中にカプセル内および容器内の製品に接触することがなく、また一回の使用しか許さないので、密閉性および安全性が保障されることである。
【実施例】
【０００９】
図１に示されるように、本願発明のクロージャー蓋は、ネック部１aが備えられた容器１に固定係合される。容器は使用される前に他の製品と混合する必要がある製品を包含している。
本願発明のクロージャー蓋は、容器の内容物と混合される製品を包含するカプセル２を含む。この製品は有害なものとして分類されたもので、よって、容器の利用者が、混合前にそれを容器の内容物と接触させないこと、およびそれが好ましくはスプレーヘッド３により外側に放出されることが不可欠である。
【００１０】
本願発明のクロージャー蓋はまた、ハンドル4aおよび強度を低下させるための溝（図示せず）を備えたセキュリティーリングを含み、よってハンドル4aが圧されると、後述されるようにセキュリティーリング４が壊される。
好適実施例によれば、セキュリティーリングの素材は、高密度および低密度のポリエチレン５０％のものであるが、適切などのような素材から作られたものでもよい。
カプセル２は、上片部２aおよび下片部２bの２つの要素で形成される。これら上片部２aおよび下片部２bは互いにスナップ式に係合することができ、一方はもう一方の内側に同心状に位置し、上片部２aは下片部２bに対して可動式である。
【００１１】
カプセル２の上片部２aおよび下片部２bは、それらの下部において切頭円錐形であり、よって上片部２aの移動が、下片部２bの切頭円錐部分の膨張をもたらし、カプセルの内容物の放出を許容する。これは、上片部２aの切頭円錐部分が持つ複数のリブ５により可能であり、カプセル２内の製品はリブ５の間に確立される隙間を通って放出される。
本願発明の容器のクロージャー蓋はまた、上片部２a、スラスト体７および封止部８と一体式の、ねじ込み式の本体６を含む。これらスラスト体７および封止部８は上片部と一体式である。
カプセル２の下片部２bは、容器のネック部１aにスナップ式に係合され、上片部２aは、スラスト体８を介して、ねじ込み式の本体６と一体式である。
【００１２】
図１のような本願発明の容器のクロージャー蓋が利用者に提供される。
利用者が容器を使用する場合は、最初に彼／彼女はセキュリティーリング４を取り除かなければならない。そのためには、彼／彼女はハンドル４aを引っ張り、強度を低下させるための溝の存在の助けによりセキュリティーリング４を壊さなければならない。一度壊されると、セキュリティーリング４は簡単に取り除くことができる。
一度セキュリティーリング４が取り除かれると、それまではセキュリティーリング４が存在したため不可能であったが、ねじ込み式の本体６が容器にねじ込まれる。ねじ込み式本体６が回転すると、図１に示されるようにスラスト体７の下方への移動が起こり、スラスト体７はカプセルの上片部２aを下方に押圧する。この上片部２aが移動すると、カプセルの上片部２aおよび下片部２bのそれぞれの下部が切頭円錐形であることにより、下片部２bの下部の膨張、およびその後に容器の内容物と混合されるカプセル２内部に包含される製品の放出を引き起こす。
【００１３】
そして、スプレーヘッド３が、従来どおりに混合された製品を容器１から排管９を通って放出して使用できるようにする。図１に示されるように、この排管はカプセル２をシールした状態で貫通する。本願発明の容器のクロージャー蓋は、製品とのどのような接触も認められない完全に厳重な状態で取り扱われるような衛生的な植物生産物と共に使用されるように特別に設計されていることが指摘される。しかしながら、本願発明の容器のクロージャー蓋は、使用前に２つの製品の混合が必要な、どのような適切な応用にも利用できることは明らかである。
【００１４】
文献は本願発明の特定の態様に関して作られたものではあるが、記載された容器のためのクロージャー蓋は、様々な変形および改良ができ、先述の詳細のすべては、他の技術的に等価な物に代替することができることは、本技術分野における通常の知識を有する者にとっては明らかである。
【符号の説明】
【００１５】
1  容器
1a  ネック部
2  カプセル
2a  上片部
2b  下片部
3  スプレーヘッド
4  セキュリティーリング
4a  ハンドル
5  リブ
6  ねじ込み式の本体
7  スラスト部
8  封止部
9  排管
【図１】
0003159532.tif 000003
【手続補正書】
【提出日】平成22年3月18日(2010.3.18)
【手続補正１】
【補正対象書類名】実用新案登録請求の範囲
【補正対象項目名】請求項２
【補正方法】変更
【補正の内容】
【請求項２】
セキュリティーリング(4)はハンドル(4a)および強度を低下させるための溝(4b)を含み、ハンドル(4a)が動かされるとセキュリティーリング(4)が破壊されるものである、請求項１に記載のクロージャー蓋。